(57)【要約】【課題】マークの位置とエッジガイドの位置とを視覚的に確認しなくてはならないので、用紙の幅方向におけるエッジガイドの位置を設定するための操作が容易ではないという課題がある。【解決手段】用紙を積載する記録媒体積載部６と、用紙の幅方向Ｄ１に移動する移動部と、用紙の端部を規制するエッジガイドとを備え、移動部には、第１の摺動面７に摺動可能に給送方向Ｄ２から当接する当接部と、第２の摺動面に摺動可能に給送方向Ｄ２から当接し、第２の摺動面を用紙の幅方向Ｄ１と直交する給送方向Ｄ２に付勢する付勢部を構成する板状当接部材とコイルバネとが設けられ、第２の摺動面は、給送方向Ｄ２における段差Ｌ１を有する複数の摺動面８ａ〜８ｅを含んで構成され、摺動面８ａ〜８ｅの幅方向Ｄ１における端部の位置Ｍ１〜Ｍ４は、用紙の幅方向Ｄ１における定形用紙サイズと対応する位置に設けられた記録媒体ガイド装置を提供する。【選択図】図８
2012111632.tif 000002
【特許請求の範囲】
【請求項１】
記録される記録媒体の幅方向に伸び、前記幅方向と直交する給送方向側に面が形成された第１の摺動面と、前記第１の摺動面と平行に並び、前記給送方向側に面が形成された第２の摺動面とを有し、前記記録媒体を積載する記録媒体積載部と、
前記記録媒体積載部において前記幅方向に移動する移動部と、
前記移動部に設けられ、前記幅方向における前記記録媒体の端部を規制するエッジガイドと、を備え、
前記移動部には、前記第１の摺動面に摺動可能に前記給送方向から当接する当接部と、前記幅方向における前記当接部の位置で、前記第２の摺動面に摺動可能に前記給送方向から当接し、前記第２の摺動面を前記給送方向に付勢する付勢部と、が備えられ、前記記録媒体積載部の前記第２の摺動面は、前記給送方向における段差を有する複数の摺動面を含んで構成され、前記摺動面の前記幅方向における端部の位置は、前記幅方向における定形記録媒体のサイズと対応する位置に設けられたことを特徴とする記録媒体ガイド装置。
【請求項２】
請求項１に記載の記録媒体ガイド装置であって、
前記端部には、前記給送方向に突起する摺動面側突起部が設けられていることを特徴とする記録媒体ガイド装置。
【請求項３】
請求項２に記載の記録媒体ガイド装置であって、
前記付勢部における前記第２の摺動面と当接する位置には、前記給送方向に突起する付勢側突起部が設けられていることを特徴とする記録媒体ガイド装置。
【請求項４】
請求項１から請求項３のいずれか一項に記載の記録媒体ガイド装置を備えた給送装置。
【請求項５】
文字や画像を記録する記録部と、
請求項４に記載の給送装置を備えた記録装置。
【発明の詳細な説明】
【技術分野】
【０００１】
本発明は、記録媒体ガイド装置、給送装置、記録装置に関する。
【背景技術】
【０００２】
複写機やプリンターやファクシミリなどの記録装置には、用紙などの記録媒体の幅方向に移動可能なエッジガイドが備えられた記録媒体ガイド装置によって、用紙の幅方向の端部の位置を規制し、用紙が記録装置に供給される。使用者は、定形用紙サイズに応じて、エッジガイドを用紙の幅方向に移動させて、用紙の幅方向の位置を固定する。
例えば、特許文献１では、用紙を積載する被記録材載置面部の表面にノッチ列を設け、ノッチに係止して固定状態を実現する係止突起を備えることによって、エッジガイドの幅方向における位置を固定する方法が開示されている。
【先行技術文献】
【特許文献】
【０００３】
【特許文献１】特開２００８−６３１４３号公報
【発明の概要】
【発明が解決しようとする課題】
【０００４】
記録しようとするＡ４サイズなどの定形用紙サイズの変更に対応するため、記録媒体ガイド装置にマークを刻印するなどの方法により、定形用紙サイズに対応する位置を示すことが行われている。使用者は、所望する定形用紙サイズに対応するマークの位置とエッジガイドの位置とを視覚的に確認しながらエッジガイドを手動により移動させる。
そのため、使用者は記録媒体ガイド装置に顔を近づけるなどの姿勢でマークの位置とエッジガイドの位置とを視覚的に確認しなくてはならない。このように、記録しようとする定形用紙サイズを変更するとき、用紙の幅方向におけるエッジガイドの位置を設定するための操作が容易ではないという課題がある。
【課題を解決するための手段】
【０００５】
本発明は、上述の課題の少なくとも一部を解決するためになされたものであり、以下の形態または適用例として実現することが可能である。
【０００６】
［適用例１］記録される記録媒体の幅方向に伸び、前記幅方向と直交する給送方向側に面が形成された第１の摺動面と、前記第１の摺動面と平行に並び、前記給送方向側に面が形成された第２の摺動面とを有し、前記記録媒体を積載する記録媒体積載部と、前記記録媒体積載部において前記幅方向に移動する移動部と、前記移動部に設けられ、前記幅方向における前記記録媒体の端部を規制するエッジガイドと、を備え、前記移動部には、前記第１の摺動面に摺動可能に前記給送方向から当接する当接部と、前記幅方向における前記当接部の位置で、前記第２の摺動面に摺動可能に前記給送方向から当接し、前記第２の摺動面を前記給送方向に付勢する付勢部と、が備えられ、前記記録媒体積載部の前記第２の摺動面は、前記給送方向における段差を有する複数の摺動面を含んで構成され、前記摺動面の前記幅方向における端部の位置は、前記幅方向における定形記録媒体のサイズと対応する位置に設けられたことを特徴とする記録媒体ガイド装置。
【０００７】
この構成によれば、記録媒体積載部の第２の摺動面は、給送方向における段差を有する複数の摺動面を含んで構成される。そのため、使用者が、移動部に備えられたエッジガイドを手動で記録媒体積載部において記録媒体の幅方向に移動させると、移動部に設けられた付勢部が、記録媒体積載部の第２の摺動面を構成する段差を有する摺動面の端部の位置を越えたとき、記録媒体の幅方向の抵抗力が変化する。これにより、使用者は、エッジガイドを記録媒体の幅方向に移動させたときに抵抗力の変化を感知し、付勢部が摺動面の端部の位置を越えた時点を知ることができる。そして、摺動面の記録媒体の幅方向における端部の位置は、記録媒体の幅方向における定形記録媒体のサイズと対応する位置に設けられる。これにより、使用者は、エッジガイドを記録媒体の幅方向における定形記録媒体のサイズと対応する位置に設定することが可能となる。従って、使用者は、記録媒体ガイド装置に顔を近づけるなどの姿勢で、マークや文字などによって示された定形記録媒体の幅方向のサイズの位置と、エッジガイドの位置との差を視覚的に確認する必要がない。このため、使用者が記録しようとする定形記録媒体のサイズを変更するとき、記録媒体の幅方向におけるエッジガイドの位置を設定するための操作が容易となる。
【０００８】
［適用例２］前記端部には、前記給送方向に突起する摺動面側突起部が設けられていることを特徴とする上記記録媒体ガイド装置。
【０００９】
この構成により、使用者は、移動部に備えられたエッジガイドを記録媒体の幅方向に移動させたとき、記録媒体の幅方向の抵抗力の変化を、付勢部が摺動面側突起部に当接した位置、または付勢部が摺動面側突起部に当接した後に通過した位置でさらに強く感知することができる。これにより、使用者が所望する定形記録媒体のサイズの幅方向の位置に、エッジガイドを設定する位置精度がさらに向上する。
【００１０】
［適用例３］前記付勢部における前記第２の摺動面と当接する位置には、前記給送方向に突起する付勢側突起部が設けられていることを特徴とする上記記録媒体ガイド装置。
【００１１】
この構成により、使用者は、移動部に備えられたエッジガイドを記録媒体の幅方向に移動させたとき、記録媒体の幅方向の抵抗力の変化を、付勢側突起部が摺動面側突起部に当接した位置、または付勢側突起部が摺動面側突起部に当接後に通過した位置でさらに強く感知することができる。これにより、使用者が所望する定形記録媒体のサイズの幅方向の位置に、エッジガイドを設定する位置精度がさらに向上する。
【００１２】
［適用例４］上記記録媒体ガイド装置を備えた給送装置。
【００１３】
［適用例５］文字や画像を記録する記録部と、上記給送装置を備えた記録装置。
【図面の簡単な説明】
【００１４】
【図１】インクジェットプリンターの外観斜視図。
【図２】給送装置の外観斜視図。
【図３】記録媒体ガイド装置の正面図。
【図４】記録媒体積載部の一部外観斜視図。
【図５】移動部の外観斜視図。
【図６】エッジガイドと記録媒体積載部の断面図。
【図７】移動本体部と記録媒体積載部の断面図。
【図８】記録媒体積載部の一部拡大図。
【図９】第２実施形態における記録媒体積載部の一部拡大図。
【図１０】第３実施形態における移動部の一部拡大図。
【発明を実施するための形態】
【００１５】
以下、本発明の実施形態について、図面を参照して説明する。
（第１実施形態）
図１は、本実施形態における記録装置としてのインクジェットプリンター（以降はプリンターという）１００の外観斜視図である。プリンター１００には、記録媒体ガイド装置１が側壁３４，３５に備えられる。記録媒体ガイド装置１は、記録媒体としての用紙Ｐを積載する記録媒体積載部６、記録媒体積載部６に対して用紙の幅方向（以降は幅方向という）Ｄ１に移動可能な移動部２を含んで構成される。
【００１６】
移動部２には、エッジガイド３が備えられ、エッジガイド３の幅方向Ｄ１における位置によって、用紙Ｐの図面左側の端部の位置が規制される。用紙Ｐの図面右側の端部は、側壁３５の側壁面３５ａによって規制される。
【００１７】
用紙Ｐは、記録媒体積載部６から幅方向Ｄ１と直交する給送方向Ｄ２に移動し、プリンター１００の給送用開口部４７から筐体４０内部に供給される。
【００１８】
記録媒体ガイド装置１の給送方向Ｄ２における下流側に、記録部が備えられる。記録部は、キャリッジ４４を幅方向Ｄ１に移動するキャリッジ移動部と、用紙Ｐを搬送経路に沿って搬送する用紙搬送部（不図示）と、キャリッジ４４の図面下部に備えられ、インクを噴射する記録ヘッド（不図示）と、キャリッジ移動部と用紙搬送部と記録ヘッドとを制御する制御部（不図示）とを含んで構成される。
【００１９】
キャリッジ移動部は、インクカートリッジ４１が搭載されたキャリッジ４４を幅方向Ｄ１に案内するガイド軸４３、キャリッジ４４に固定されたベルト４２、ベルト４２を回転駆動するキャリッジ駆動モーター（不図示）を含んで構成される。
【００２０】
用紙搬送部は、用紙Ｐを搬送する搬送ローラー（不図示）、搬送ローラーを回転駆動する紙送りモーター（不図示）を含んで構成される。用紙搬送部は、記録媒体積載部６から給送された用紙Ｐを、搬送経路に沿って搬送する。
【００２１】
記録部は、用紙搬送部によって搬送される用紙Ｐに対して、キャリッジ移動部によってキャリッジ４４を幅方向Ｄ１に移動しながら、記録ヘッドからインクを噴射し、用紙Ｐに文字や画像を記録する。文字や画像が記録された用紙Ｐは、排紙用開口部４５から用紙トレイ４６に排出される。
【００２２】
図２は、本実施形態における給送装置１１０の外観斜視図である。給送装置１１０は、記録媒体ガイド装置１と、軸３０と一体に回転する給送ローラー３１と、給送ローラー３１との間で用紙Ｐの搬送経路を構成する搬送経路構成部材３２と、フレーム３３とを備えている。
【００２３】
記録媒体ガイド装置１における記録媒体積載部６は、フレーム３３の両サイドに位置する側壁３４，３５に揺動可能に軸支され、駆動源（不図示）からの動力が伝達されて、記録媒体積載部６の積載面９が給送ローラー３１に近接する状態となるホッパーアップと、積載面９が給送ローラー３１から離れる状態となるホッパーダウンの間で揺動する。ホッパーアップの状態で給送ローラー３１に用紙Ｐを圧接し、その圧接状態で給送ローラー３１を回転することで用紙Ｐが給送されるようになっている。
【００２４】
図３は、記録媒体ガイド装置１の正面図である。図４は、記録媒体積載部６の一部を図３の図面裏側から見た外観斜視図である。図３、図４の記録媒体積載部６の給送方向Ｄ２の上流側端部に、幅方向Ｄ１に伸びる第１の摺動面７が形成されている。
【００２５】
図４に示すように、第１の摺動面７の面が向く方向は給送方向Ｄ２における上流方向である。すなわち、第１の摺動面７は、給送方向Ｄ２における上流側に形成されている。
【００２６】
記録媒体積載部６には、幅方向Ｄ１に伸びる開口部１１が設けられる。開口部１１の給送方向Ｄ２における上流側に、幅方向Ｄ１に伸びる第２の摺動面８が形成されている。第２の摺動面８は、第１の摺動面７と平行に並ぶようにして設けられている。
【００２７】
第２の摺動面８の面が向く方向は給送方向Ｄ２における下流方向である。すなわち、第２の摺動面８は、給送方向Ｄ２における下流側に形成されている。
【００２８】
図３の開口部１１の図面裏側の図面上端と下端は、複数の連結部１０によって部分的に連結される。図４に示すように、連結部１０は、開口部１１に接し、図３の図面裏側に面が形成された面１１ａ，１１ｂに備えられる。そのため、第２の摺動面８は、連結部１０によって遮断されることなく、幅方向Ｄ１に伸びるように形成される。
【００２９】
図３の記録媒体積載部６には、幅方向Ｄ１に伸びる開口部１５が設けられる。図４の開口部１５の給送方向Ｄ２における上流側の面には、給送方向Ｄ２における下流側に突出し、幅方向Ｄ１に伸びる第３の摺動面１２が形成されている。
【００３０】
図３の開口部１５の図面裏側の図面上端と下端は、複数の連結部１４によって部分的に連結される。図４に示すように、連結部１４は、開口部１５に接し、図３の図面裏側に面が形成された面１５ａ，１５ｂに備えられる。そのため、第３の摺動面１２は、連結部１４によって遮断されることなく、幅方向Ｄ１に伸びるように形成される。
【００３１】
図３の移動部２は、移動本体部４とエッジガイド３とを含んで構成される。エッジガイド３の規制面１３は、図１の用紙Ｐの図面左側の端部を規制する。
【００３２】
軸部１６，１８は、図１の側壁３４，３５に設けられた軸受け部（不図示）にそれぞれ軸支される。係止部１７は、軸部１６，１８を回転軸として、ホッパーアップとホッパーダウンの状態に揺動させるための被係止部（不図示）と係合する。
【００３３】
図３の移動本体部４の積載面４ａと記録媒体積載部６の積載面９とは、用紙Ｐの厚さ方向における高さが略同じになるように備えられている。これにより、移動部２が幅方向Ｄ１における任意の位置にあるとき、記録媒体ガイド装置１に積載された用紙Ｐの厚さ方向の高さを用紙Ｐの全面において略同じ高さにすることができる。
【００３４】
図５は、記録媒体積載部６から取り外した移動部２を、図３の図面裏側から見た外観斜視図である。図５の移動本体部４の裏面４ｂには、幅方向Ｄ１に伸びるＬ字状係合部２２が設けられている。Ｌ字状係合部２２と裏面４ｂにより、図面下方向に開口し、幅方向Ｄ１に伸びる溝部２３が形成される。
【００３５】
図５の移動本体部４の裏面４ｂには、幅方向Ｄ１に伸びるＬ字状係合部２４が設けられている。Ｌ字状係合部２４と裏面４ｂにより、図面上方向に開口し、幅方向Ｄ１に伸びる溝部２５が形成される。
【００３６】
図５のエッジガイド３には、当接部２０が設けられる。当接部２０には、面の向きが、給送方向Ｄ２における下流側を向く当接面２０ａが形成されている。
【００３７】
また、エッジガイド３には、幅方向Ｄ１における当接部２０の位置に板状当接部材２１が設けられる。板状当接部材２１には、面の向きが、給送方向Ｄ２における上流側を向く当接面２１ａが形成されている。当接面２０ａと当接面２１ａとは、給送方向Ｄ２において対向するように備えられる。
【００３８】
板状当接部材２１の一方の端はエッジガイド３に固定される。板状当接部材２１の他方の端は弾性部材であるコイルバネ５の一端と固定される。コイルバネ５の他端はエッジガイド３に固定されている。
【００３９】
コイルバネ５は板状当接部材２１に対して給送方向Ｄ２と反対方向である付勢方向Ｃ１に付勢する。コイルバネ５による付勢力によって、板状当接部材２１は付勢方向Ｃ１に撓み、当接面２０ａと当接面２１ａとの給送方向Ｄ２の距離が短くなる。
【００４０】
図６は、図３に示した矢視Ａ−Ａ断面におけるエッジガイド３と記録媒体積載部６の断面図である。エッジガイド３の当接部２０に設けられた当接面２０ａ（図５参照）は、記録媒体積載部６の第１の摺動面７（図４参照）と幅方向Ｄ１に摺動可能に、給送方向Ｄ２における上流側から当接する。
【００４１】
図６のエッジガイド３の板状当接部材２１に設けられた当接面２１ａ（図５参照）は、記録媒体積載部６の第２の摺動面８（図４参照）と幅方向Ｄ１に摺動可能に、給送方向Ｄ２における下流側から当接する。
【００４２】
コイルバネ５と板状当接部材２１とによって構成される付勢部は、幅方向Ｄ１における当接部２０の位置で、付勢方向Ｃ１に、第２の摺動面８を付勢する。これにより、記録媒体積載部６に対する移動部２の幅方向Ｄ１の位置が固定される。
【００４３】
図６のエッジガイド３の図面下方の当接面２６（図５参照）は、記録媒体積載部６の図面下方に形成された摺動面１９（図３参照）と、幅方向Ｄ１に摺動可能に当接する。
【００４４】
図７は、図３に示した矢視Ｂ−Ｂ断面における移動本体部４と記録媒体積載部６の断面図である。移動本体部４のＬ字状係合部２２によって形成された溝部２３（図５参照）は、記録媒体積載部６の第１の摺動面７（図４参照）と幅方向Ｄ１に摺動可能に当接する。
【００４５】
移動本体部４のＬ字状係合部２４によって形成された溝部２５（図５参照）は、記録媒体積載部６の第３の摺動面１２（図４参照）と幅方向Ｄ１に摺動可能に当接する。
【００４６】
図８は、図３の記録媒体ガイド装置１の正面側から見た記録媒体積載部６の一部拡大図である。図３の第２の摺動面８には、図８に示すように、幅方向Ｄ１に伸び、給送方向Ｄ２における下流側に面が形成された摺動面８ａ，８ｂ，８ｃ，８ｄ，８ｅ（太い実線）が形成されている。
【００４７】
給送方向Ｄ２において、摺動面８ａ，８ｃ，８ｅは同じ位置にあり、摺動面８ｂ，８ｄは同じ位置にある。隣接する摺動面８ａ，８ｂには、給送方向Ｄ２における段差Ｌ１が設けられている。同様に、隣接する、摺動面８ｂ，８ｃ、摺動面８ｃ，８ｄ、摺動面８ｄ，８ｅには、給送方向Ｄ２における段差Ｌ１がそれぞれ設けられている。
【００４８】
摺動面８ａ，８ｂは、給送方向Ｄ２に対して傾斜した摺動面８１ａによって接続されている。同様に、摺動面８ｂ，８ｃ、摺動面８ｃ，８ｄ、摺動面８ｄ，８ｅは、給送方向Ｄ２に対して傾斜した摺動面８１ｂ，８１ｃ，８１ｄによって接続されている。
【００４９】
図８の細い破線Ｍ１〜Ｍ４は、幅方向Ｄ１において、摺動面８ａの図面右側端部の位  置、摺動面８ｃの図面左側端部の位置、摺動面８ｃの図面右側端部の位置、摺動面８ｅの図面左側端部の位置をそれぞれ示す。
【００５０】
端部の位置Ｍ１〜Ｍ４は、側壁面３５ａからの距離Ｌ２〜Ｌ５の位置にそれぞれ設けられている。距離Ｌ２〜Ｌ５は、幅方向Ｄ１における定形記録媒体のサイズの長さである。定形記録媒体のサイズとは、例えば、Ａ４サイズ、Ｂ５サイズ、はがきサイズなどの所定の定形用紙サイズの幅方向Ｄ１の長さである。このように、端部の位置Ｍ１〜Ｍ４は、定形用紙サイズの幅方向Ｄ１の長さに対応する位置に設けられる。
【００５１】
以上、説明した本実施形態の記録媒体ガイド装置１は、図３、図４の幅方向Ｄ１に伸び、幅方向Ｄ１と直交する給送方向Ｄ２側に面が形成された第１の摺動面７と、第１の摺動面７と平行に並び、給送方向Ｄ２側に面が形成された第２の摺動面８とを有し、用紙Ｐを積載する記録媒体積載部６と、記録媒体積載部６において幅方向Ｄ１に移動する移動部２と、移動部２に設けられ、幅方向Ｄ１における用紙Ｐの端部を規制するエッジガイド３とを備え、図５の移動部２には、第１の摺動面７に摺動可能に給送方向Ｄ２から当接する当接部２０と、幅方向Ｄ１における当接部２０の位置で、第２の摺動面８に摺動可能に給送方向Ｄ２から当接し、第２の摺動面８を給送方向Ｄ２に付勢する付勢部を構成する板状当接部材２１とコイルバネ５とが設けられ、図８の記録媒体積載部６の第２の摺動面８は、給送方向Ｄ２における段差Ｌ１を有する複数の摺動面８ａ〜８ｅを含んで構成され、摺動面８ａ，８ｃ，８ｅの幅方向Ｄ１における端部の位置Ｍ１〜Ｍ４は、幅方向Ｄ１における定形用紙サイズと対応する位置に設けられる。
【００５２】
この構成によれば、図８の記録媒体積載部６の第２の摺動面８は、給送方向Ｄ２における段差Ｌ１を有する複数の摺動面８ａ〜８ｅを含んで構成される。そのため、使用者が、移動部２に備えられたエッジガイド３を手動で記録媒体積載部６において幅方向Ｄ１に移動させると、図５の移動部２に設けられた付勢部が、記録媒体積載部６の第２の摺動面８を構成する段差Ｌ１を有する摺動面８ａ，８ｃ，８ｅの端部の位置Ｍ１〜Ｍ４を越えたとき、幅方向Ｄ１の抵抗力が変化する。これにより、使用者は、エッジガイド３を幅方向Ｄ１に移動させたときに抵抗力の変化を感知し、付勢部が摺動面８ａ〜８ｅの端部の位置を越えた時点を知ることができる。そして、摺動面８ａ〜８ｅの幅方向Ｄ１における端部の位置は、幅方向Ｄ１における定形用紙サイズと対応する位置に設けられる。これにより、使用者は、エッジガイド３を幅方向Ｄ１における定形用紙サイズと対応する位置に設定することが可能となる。従って、使用者は、図１のプリンター１００に備えられた記録媒体ガイド装置１に顔を近づけるなどの姿勢で、マークや文字などによって示された定形用紙サイズの幅方向Ｄ１の位置と、エッジガイド３の位置との差を視覚的に確認する必要がない。このため、使用者が記録しようとする定形用紙サイズを変更するとき、幅方向Ｄ１におけるエッジガイド３の位置を設定するための操作が容易となる。
【００５３】
（第２実施形態）
第２実施形態では、段差を有する摺動面の端部に、給送方向Ｄ２に突起する摺動面側突起部を設けた記録媒体ガイド装置について説明する。図９は、本実施形態における記録媒体ガイド装置の正面側から見た記録媒体積載部６ａの一部拡大図である。
【００５４】
図９の本実施形態における記録媒体積載部６ａは、図８を用いて第１実施形態で説明した記録媒体積載部６の摺動面８ａ，８ｃ，８ｅの端部に、摺動面側突起部８２ａ〜８２ｄを設けたものである。
【００５５】
図９の細い破線Ｎ１〜Ｎ４は、幅方向Ｄ１における摺動面側突起部８２ａ〜８２ｄの位置をそれぞれ示す。
【００５６】
摺動面側突起部８２ａ〜８２ｄの位置Ｎ１〜Ｎ４は、側壁面３５ａからの距離Ｌ２〜Ｌ４の位置にある。距離Ｌ２〜Ｌ４は、例えば、Ａ４サイズ、Ｂ５サイズ、はがきサイズなどの所定の定形用紙サイズの幅方向Ｄ１の長さである。このように、摺動面側突起部８２ａ〜８２ｄの位置Ｎ１〜Ｎ４は、定形用紙サイズの幅方向Ｄ１の長さに対応する位置に設けられる。
【００５７】
この構成により、使用者は、移動部２に備えられたエッジガイド３を幅方向Ｄ１に移動させたとき、幅方向Ｄ１の抵抗力の変化を、図５の板状当接部材２１が摺動面側突起部８２ａ〜８２ｄに当接した位置、または板状当接部材２１が摺動面側突起部８２ａ〜８２ｄに当接後に通過した位置で、さらに強く感知することができる。
【００５８】
これにより、使用者が所望する定形用紙サイズの幅方向Ｄ１の位置に、エッジガイド３を設定する位置精度がさらに向上する。本実施形態におけるその他の構成は、第１実施形態で説明した構成と同じである。
【００５９】
（第３実施形態）
第３実施形態では、付勢部における第２の摺動面と当接する当接面に、給送方向Ｄ２に突起する付勢側突起部を備えた記録媒体ガイド装置について説明する。
【００６０】
本実施形態では、第２実施形態で説明した図９の記録媒体積載部６ａが備えられ、第２の摺動面８には、摺動面側突起部８２ａ〜８２ｄが設けられる。
【００６１】
図１０は、本実施形態における移動部２ａの一部拡大図である。図１０の板状当接部材２１における第２の摺動面８と当接する当接面２１ａには、給送方向Ｄ２と反対方向となる付勢方向Ｃ１に突出した付勢側突起部２１ｂが、用紙Ｐの厚さ方向に伸びるようにして形成されている。
【００６２】
この構成により、使用者は、移動部２ａに備えられたエッジガイド３を幅方向Ｄ１に移動させるとき、幅方向Ｄ１の抵抗力の変化を、付勢側突起部２１ｂが摺動面側突起部８２ａ〜８２ｄに当接した位置、あるいは付勢側突起部２１ｂが摺動面側突起部８２ａ〜８２ｄに当接後に通過した位置でさらに強く感知することができる。
【００６３】
これにより、使用者が所望する定形用紙サイズの幅方向Ｄ１の位置に、エッジガイド３を設定する位置精度がさらに向上する。本実施形態におけるその他の構成は、第１実施形態で説明した構成と同じである。
【００６４】
第１実施形態から第３実施形態では、第１の摺動面７と第２の摺動面８を構成する摺動面８ａ，８ｂ，８ｃ，８ｄ，８ｅとは平行に並んで備えられていたが、第１の摺動面７に対して摺動面８ａ，８ｂ，８ｃ，８ｄ，８ｅが傾斜するようにして、第１の摺動面７と摺動面８ａ，８ｂ，８ｃ，８ｄ，８ｅとが略平行に並ぶようにして備えてもよい。
【００６５】
そのようにすることで、移動部２，２ａが幅方向Ｄ１に移動するに伴って、当接部２０の当接面２０ａと板状当接部材２１の当接面２１ａとの給送方向Ｄ２の距離が変化することで、付勢部による付勢力を変化させることができる。
【００６６】
本実施形態では、記録媒体としての用紙Ｐを記録媒体ガイド装置１に搭載する場合について説明したが、ＣＤやＤＶＤなどの記録媒体を載せたトレイを記録媒体ガイド装置に搭載する場合にも適用する。
【００６７】
すなわち、第２の摺動面は、給送方向Ｄ２における段差を有する複数の摺動面を含んで構成され、その摺動面の幅方向Ｄ１における端部の位置を、ＣＤやＤＶＤのサイズに合わせて製作されたトレイの幅方向Ｄ１の長さに対応する位置に設けるようにしてもよい。
【００６８】
第１実施形態から第３実施形態で説明した給送装置を、電子写真方式を用いたプリンターなどの記録装置に備えてもよい。あるいは、第１実施形態から第３実施形態の給送装置を、記録装置としての、複写機やファクシミリなどに備えてもよい。
【符号の説明】
【００６９】
１…記録媒体ガイド装置、２，２ａ…移動部、３…エッジガイド、５…コイルバネ、６…記録媒体積載部、７…第１の摺動面、８…第２の摺動面、８ａ〜８ｅ…摺動面、２０…当接部、２１…板状当接部材、２１ｂ…付勢側突起部、８２ａ〜８２ｄ…摺動面側突起部、１００…インクジェットプリンター、１１０…給送装置、Ｄ１…用紙の幅方向、Ｄ２…給送方向、Ｌ１…段差、Ｍ１〜Ｍ４…摺動面の端部の位置、Ｎ１〜Ｎ４…摺動面側突起部の位置、Ｐ…用紙。
【図１】
2012111632.tif 000003
【図２】
2012111632.tif 000004
【図３】
2012111632.tif 000005
【図４】
2012111632.tif 000006
【図５】
2012111632.tif 000007
【図６】
2012111632.tif 000008
【図７】
2012111632.tif 000009
【図８】
2012111632.tif 000010
【図９】
2012111632.tif 000011
【図１０】
2012111632.tif 000012